(57)【要約】【課題】コストが高騰することなく、画質の補正を適切に実施できる画像表示装置を提供すること。【解決手段】画像表示装置としてのプロジェクタ３を構成する制御装置３３は、画像出力装置２から出力される画像情報に基づく画像を画像投射部３１に表示させる表示制御部３３３と、操作手段３２に画像情報に基づく画像の画質を補正する旨の画質補正情報が入力された場合に、画像情報の出力状態を一時停止させる旨の一時停止情報を画像出力装置２に対して送信させる送信制御部３３４と、操作手段３２に画質補正情報が入力され、表示制御部３３３にて画像投射部３１の表示状態が一時停止されている際に、画質補正情報に基づいて、画像情報に基づく画像の画質を補正する画像データ処理部３３２とを備えている。【選択図】図１
2008262066.tif 000002
【特許請求の範囲】
【請求項１】
画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置であって、
前記制御手段は、
前記画像出力装置から出力される画像情報に基づく画像を前記表示手段に表示させる表示制御部と、
前記操作手段に前記画像情報に基づく画像の画質を補正する旨の画質補正情報が入力された場合に、前記画像情報の出力状態を一時停止させる旨の一時停止情報を前記画像出力装置に対して送信させる送信制御部と、
前記操作手段に前記画質補正情報が入力され、前記表示制御部にて前記表示手段の表示状態が一時停止されている際に、前記画質補正情報に基づいて、前記画像情報に基づく画像の画質を補正する画質補正部とを備えている
ことを特徴とする画像表示装置。
【請求項２】
請求項１に記載の画像表示装置において、
前記画像出力装置は、前記画像情報に基づく画像の画質を補正する際に用いられる補正画像に関する補正画像情報を記憶する補正画像情報記憶部を備え、
前記送信制御部は、前記操作手段に前記画質補正情報が入力された場合に、前記一時停止情報とともに、前記補正画像情報の出力指示に関する出力指示情報を前記画像出力装置に対して送信させ、
前記表示制御部は、前記画像出力装置から前記補正画像情報が出力された際に、前記補正画像情報に基づく補正画像を前記表示手段に表示させる
ことを特徴とする画像表示装置。
【請求項３】
画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置の画質補正方法であって、
前記制御手段が、
前記操作手段に前記画像情報に基づく画像の画質を補正する旨の画質補正情報が入力された場合に、前記画像情報の出力状態を一時停止させる旨の一時停止情報を前記画像出力装置に対して送信する送信制御ステップと、
前記操作手段に前記画質補正情報が入力され、前記表示手段の表示状態が一時停止している際に、前記画質補正情報に基づいて、前記画像情報に基づく画像の画質を補正する画質補正ステップとを実行する
ことを特徴とする画質補正方法。
【請求項４】
画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置の画質補正プログラムであって、
請求項３に記載の画質補正方法を前記制御手段に実行させる
ことを特徴とする画質補正プログラム。
【請求項５】
請求項４に記載の画質補正プログラムがコンピュータに読取可能に記録されていることを特徴とする画質補正プログラムを記録した記録媒体。
【請求項６】
画像情報を出力可能とする画像出力装置と、
前記画像出力装置と情報を伝送可能に接続される請求項１または請求項２に記載の画像表示装置とを備えている
ことを特徴とする画像表示システム。
【請求項７】
請求項６に記載の画像表示システムにおいて、
前記送信制御部は、
前記操作手段に前記画質補正情報が入力された場合に前記一時停止情報を前記画像出力装置に対して送信させるとともに、前記画質補正部による画質補正が完了した場合に前記画像出力装置に対して画質補正が完了した旨の補正完了情報を前記画像出力装置に対して送信させ、
前記画像出力装置は、
テレビジョン放送信号を受信する受信手段と、
前記テレビジョン放送信号に基づく画像情報を順次、記憶する映像記憶部と、
前記テレビジョン放送信号に基づく画像情報を順次、前記画像表示装置に対して出力させる出力制御部とを備え、
前記出力制御部は、
前記一時停止情報を受信した場合に前記画像表示装置に対する前記画像情報の出力状態を一時停止するとともに、前記補正完了情報を受信した場合に前記一時停止情報を受信した時点から前記映像記憶部に記憶された画像情報を順次、前記画像表示装置に対して出力させる
ことを特徴とする画像表示システム。
【発明の詳細な説明】
【技術分野】
【０００１】
本発明は、画像表示装置、画質補正方法、画質補正プログラム、記録媒体、および画像表示システムに関する。
【背景技術】
【０００２】
従来、画像を表示する表示手段を有するプロジェクタやテレビジョン装置等の画像表示装置では、一般的に、表示画像の画質を補正する機能を有している。
ここで、例えば、画像表示装置が動画像を表示している場合には、表示画像が短い間隔で連続的に切り替わるため、利用者は画質の補正操作を適切に実施することが難しいものである。そこで、従来、画質を補正する際に静止画像を表示して、画質の補正を適切に実施できる技術が提案されている（例えば、特許文献１参照）。
特許文献１に記載の技術では、画像表示装置を構成する画像処理装置に、入力される映像データを記憶するメモリを搭載している。そして、画質を補正する際に、メモリに記憶された１フレームの映像データに基づく静止画像を表示して、利用者に画質の補正操作を促している。
【０００３】
【特許文献１】特開２００２−１０２８１号公報
【発明の開示】
【発明が解決しようとする課題】
【０００４】
しかしながら、特許文献１に記載の技術では、画像表示装置に、画質補正を実施する際に用いる映像データを記憶するメモリ、利用者による操作により映像データをメモリに記憶させる処理機能、メモリに記憶された映像データを表示させる処理機能等を付加する必要があるため、画像表示装置全体のコストが高騰してしまう、という問題がある。
【０００５】
本発明の目的は、コストが高騰することなく、画質の補正を適切に実施できる画像表示装置、画質補正方法、画質補正プログラム、記録媒体、および画像表示システムを提供することにある。
【課題を解決するための手段】
【０００６】
本発明の画像表示装置は、画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置であって、前記制御手段は、前記画像出力装置から出力される画像情報に基づく画像を前記表示手段に表示させる表示制御部と、前記操作手段に前記画像情報に基づく画像の画質を補正する旨の画質補正情報が入力された場合に、前記画像情報の出力状態を一時停止させる旨の一時停止情報を前記画像出力装置に対して送信させる送信制御部と、前記操作手段に前記画質補正情報が入力され、前記表示制御部にて前記表示手段の表示状態が一時停止されている際に、前記画質補正情報に基づいて、前記画像情報に基づく画像の画質を補正する画質補正部とを備えていることを特徴とする。
【０００７】
本発明では、画像表示装置を構成する制御手段は、表示制御部と、送信制御部と、画質補正部とを備えているので、以下に示すように、画像の画質を補正できる。
送信制御部は、利用者により操作手段に画質補正情報が入力された場合に、一時停止情報を画像出力装置に対して送信させる（送信制御ステップ）。一時停止情報を受信した画像出力装置は、画像情報の出力状態を一時停止し、一時停止情報を受信した時点での画像情報（以下、停止画像情報）を継続して画像表示装置に出力する。
そして、表示制御部は、画像表示装置から出力された停止画像情報に基づく画像（静止画像）を表示手段に表示させる。
画質補正部は、利用者により操作手段に入力された画質補正情報に基づいて、停止画像情報に基づく画像の画質を補正する（画質補正ステップ）。
すなわち、利用者は、表示手段に表示された静止画像を確認しながら、操作手段に画質補正情報を入力することで、静止画像の画質を適宜、変更できる。
【０００８】
以上の構成により、画像表示装置は、画質を補正する際に静止画像を表示するため、利用者に画質の補正を適切に実施させることができる。また、画像表示装置は、一時停止情報を画像出力装置に送信することで画像情報の出力状態を一時停止させ静止画像を表示するため、従来のように、画質補正を実施する際に用いる映像データを記憶するメモリ、利用者による操作により映像データをメモリに記憶させる処理機能、メモリに記憶された映像データを表示させる処理機能等を付加する必要がなく、画像表示装置全体のコストが高騰することがない。
したがって、コストが高騰することなく、画質の補正を適切に実施できるため、本発明の目的を達成できる。
【０００９】
本発明の画像表示装置では、前記画像出力装置は、前記画像情報に基づく画像の画質を補正する際に用いられる補正画像に関する補正画像情報を記憶する補正画像情報記憶部を備え、前記送信制御部は、前記操作手段に前記画質補正情報が入力された場合に、前記一時停止情報とともに、前記補正画像情報の出力指示に関する出力指示情報を前記画像出力装置に対して送信させ、前記表示制御部は、前記画像出力装置から前記補正画像情報が出力された際に、前記補正画像情報に基づく補正画像を前記表示手段に表示させることが好ましい。
ここで、補正画像としては、例えば、種々の色が順に形成された、所謂カラーバーや、白から黒までが所定の階調で形成された、所謂グレースケール等の画像が例示できる。
【００１０】
本発明では、画像表示装置は、利用者により操作手段に画質補正情報が入力された場合に、一時停止情報とともに出力指示情報を画像出力装置に対して送信し、画像出力装置から出力された補正画像情報に基づく補正画像を表示する。このことにより、利用者は、表示手段に表示された補正画像を確認しながら、操作手段に画質補正情報を入力することで、画質の補正操作を実施できる。このため、単に一時停止した際の静止画像に基づいて画質の補正操作を実施する場合と比較して、画質の補正をより適切に実施できる。
【００１１】
本発明の画質補正方法は、画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置の画質補正方法であって、前記制御手段が、前記操作手段に前記画像情報に基づく画像の画質を補正する旨の画質補正情報が入力された場合に、前記画像情報の出力状態を一時停止させる旨の一時停止情報を前記画像出力装置に対して送信する送信制御ステップと、前記操作手段に前記画質補正情報が入力され、前記表示手段の表示状態が一時停止している際に、前記画質補正情報に基づいて、前記画像情報に基づく画像の画質を補正する画質補正ステップとを実行することを特徴とする。
本発明の画質補正方法は、上述した画像表示装置によって実施されるものであるので、上述した画像表示装置と同様の作用および効果を享受できる。
【００１２】
本発明の画質補正プログラムは、画像情報を出力する画像出力装置と情報を伝送可能に接続され、入力された前記画像情報に基づく画像を表示する表示手段と、入力操作をする操作手段と、前記表示手段および前記操作手段を制御する制御手段とを備えた画像表示装置の画質補正プログラムであって、上述した画質補正方法を前記制御手段に実行させることを特徴とする。
【００１３】
本発明の記録媒体は、上述した画質補正プログラムがコンピュータに読取可能に記録されていることを特徴とする。
【００１４】
以上のような構成の画質補正プログラムおよび記録媒体は、上述した画質補正方法を実施するために利用されるので、上述した画質補正方法と同様の作用および効果を享受できる。
また、上述した画質補正プログラムを記録媒体に記録させるので、プログラムの取り扱いが容易となる。
【００１５】
本発明の画像表示システムは、画像情報を出力可能とする画像出力装置と、前記画像出力装置と情報を伝送可能に接続される上述した画像表示装置とを備えていることを特徴とする。
本発明によれば、画像表示システムは、上述した画像表示装置を備えているので、上述した画像表示装置と同様の作用および効果を享受できる。
【００１６】
本発明の画像表示システムでは、前記送信制御部は、前記操作手段に前記画質補正情報が入力された場合に前記一時停止情報を前記画像出力装置に対して送信させるとともに、前記画質補正部による画質補正が完了した場合に前記画像出力装置に対して画質補正が完了した旨の補正完了情報を前記画像出力装置に対して送信させ、前記画像出力装置は、テレビジョン放送信号を受信する受信手段と、前記テレビジョン放送信号に基づく画像情報を順次、記憶する映像記憶部と、前記テレビジョン放送信号に基づく画像情報を順次、前記画像表示装置に対して出力させる出力制御部とを備え、前記出力制御部は、前記一時停止情報を受信した場合に前記画像表示装置に対する前記画像情報の出力状態を一時停止するとともに、前記補正完了情報を受信した場合に前記一時停止情報を受信した時点から前記映像記憶部に記憶された画像情報を順次、前記画像表示装置に対して出力させることが好ましい。
【００１７】
ところで、画像表示システムとして、画像出力装置がテレビジョン放送信号に基づく画像情報を画像表示装置に出力し、画像表示装置が画像情報に基づく画像（テレビジョン映像（動画像））を表示する構成とした場合には、画質の補正を実施する際にテレビジョン映像の表示を一時停止し、画質の補正を完了した際に一時停止を単に解除すると、利用者は、画質を補正している期間のテレビジョン映像を見逃すこととなる。
本発明では、画像出力装置は、受信手段と、映像記憶部と、出力制御部とを備える。そして、画像出力装置は、画像表示装置から一時停止情報を受信した場合に画像表示装置に対する画像情報の出力状態を一時停止するとともに、画像表示装置から画質補正が完了した旨の補正完了情報を受信した場合に一時停止情報を受信した時点から映像記憶部に記憶された画像情報を順次、画像表示装置に対して出力させる（タイムシフト再生）。このため、画像表示装置は、画質の補正を完了した後、画質の補正を開始した時点からのテレビジョン映像を表示することとなる。したがって、画像出力装置がタイムシフト再生を実施することで、利用者は、画質を補正している期間のテレビジョン映像を視聴することができ、利便性の向上が図れる。
【発明を実施するための最良の形態】
【００１８】
[第１実施形態]
以下、本発明の第１実施形態を図面に基づいて説明する。
〔画像表示システムの構成〕
図１は、第１実施形態における画像表示システム１の構成を示すブロック図である。
画像表示システム１は、図１に示すように、画像出力装置２と、画像表示装置としてのプロジェクタ３とを備え、画像出力装置２から出力される画像情報に基づいて、プロジェクタ３から画像光をスクリーン（図示略）に拡大投射させ、スクリーン上に前記画像情報に基づく画像を表示するシステムである。
【００１９】
〔画像出力装置の構成〕
画像出力装置２は、画像表示システム１を利用して、画像を表示させるための画像情報を出力する装置である。この画像出力装置２としては、種々の機器を用いることができ、例えば、パーソナルコンピュータ、テレビジョンチューナ、ＤＶＤ（Digital Versatile Disc）プレーヤ、テレビジョンチューナ内蔵のハードディスクレコーダやＤＶＤレコーダ等のビデオレコーダ等が例示できる。
本実施形態では、画像出力装置２は、ビデオレコーダで構成されている。この画像出力装置２は、図１に示すように、受信手段としてのチューナ２１と、制御装置２２とで大略構成されている。
【００２０】
チューナ２１は、アンテナＡＮＴを介して受信されるテレビジョン放送信号のうち、制御装置２２による制御の下、所定のチャンネルに係る周波数のテレビジョン放送信号を選択して受信する。そして、チューナ２１は、受信したテレビジョン放送信号を一定周波数の信号に変換して制御装置２２に出力する。
制御装置２２は、ＣＰＵ(Central Processing Unit)を含んで構成され、メモリに記憶された制御プログラムにしたがって、画像出力装置２全体を制御する。この制御装置２２は、図１に示すように、映像処理部２２１と、映像記憶部２２２と、送受信部２２３と、出力制御部２２４等を備える。これら各構成要素２２１〜２２４は、図示しないバスにより接続され、必要な情報が伝送可能に構成されている。
【００２１】
映像処理部２２１は、チューナ２１により変換された信号から、画像信号を抽出し、画像信号を画像出力に適合する１フレーム毎の画像データ（画像情報）に変換して出力する。
映像記憶部２２２は、ハードディスクまたはＤＶＤ等で構成され、映像処理部２２１から出力される画像データを適宜、記憶する。
【００２２】
送受信部２２３は、信号線Ｓg（図１）を介してプロジェクタ３と接続し、プロジェクタ３との間で情報を送受信可能とする部分である。この送受信部２２３は、信号線Ｓgに対応した規格（本実施形態では、ＨＤＭＩ(High-Definition Multimedia Interface)規格）で情報の送受信を実施する信号変換回路である。そして、送受信部２２３は、プロジェクタ３から信号線Ｓgを介して受信した情報に対して所定の入力インターフェース処理を実施して出力する。また、送受信部２２３は、出力制御部２２４による制御の下、送信する情報に対して所定の出力インターフェース処理を実施して、信号線Ｓgを介してプロジェクタ３に送信（出力）する。
なお、本実施形態では、信号線Ｓgは、ＨＤＭＩ規格であるため、画像データ（デジタルデータ）および制御コマンドを一括して伝送可能に構成されている。
【００２３】
出力制御部２２４は、送受信部２２３を駆動制御して、映像処理部２２１から出力される画像データや、映像記憶部２２２に蓄積された画像データをプロジェクタ３に対して順次、送信（出力）させる。
ここで、出力制御部２２４は、送受信部２２３を介してプロジェクタ３から後述する一時停止コマンドを受信した場合には、送受信部２２３を駆動制御して、プロジェクタ３に対する画像データの送信状態を一時停止させる。
また、出力制御部２２４は、送受信部２２３を介してプロジェクタ３から後述する補正完了コマンドを受信した場合には、送受信部２２３を駆動制御して、プロジェクタ３に対する画像データの出力状態の一時停止を解除し、映像処理部２２１から出力される画像データをプロジェクタ３に対して順次、送信させる。
【００２４】
〔プロジェクタの構成〕
プロジェクタ３は、入力した画像データに対して所定の画像データ処理を施し、処理を施した画像データに基づいて、光源から射出された光束を光学的に処理して画像光を形成し、スクリーンに拡大投射する。このプロジェクタ３は、図１に示すように、表示手段としての画像投射部３１と、操作手段３２と、制御手段としての制御装置３３とで大略構成されている。
画像投射部３１は、制御装置３３による制御の下、画像光を形成してスクリーンに拡大投射する。この画像投射部３１は、図１に示すように、光源装置３１１と、光変調装置３１２と、投射光学系３１３等を備える。
光源装置３１１は、制御装置３３による制御の下、光束を光変調装置３１２に向けて射出する。この光源装置３１１は、図１に示すように、光源ランプ３１１１と、光源駆動部３１１２とを備える。
【００２５】
光源ランプ３１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
光源駆動部３１１２は、制御装置３３による制御の下、所定の駆動電圧で光源ランプ３１１１を駆動する。
【００２６】
光変調装置３１２は、制御装置３３からの駆動信号に基づいて、光源ランプ３１１１から射出された光束を駆動信号に応じて画像光に変調して投射光学系３１３に射出する。
投射光学系３１３は、光変調装置３１２から射出された画像光をスクリーンに向けて拡大投射する。
【００２７】
操作手段３２は、図示しないリモートコントローラや、プロジェクタ３に備えられたボタンやキーにより構成され、利用者による入力操作を認識して所定の操作信号を制御装置３３に出力する。例えば、この操作手段３２は、図１に示すように、スクリーンに表示された画像の画質（色相、色度、コントラスト、シャープネス、輝度等）を補正する旨の画像補正情報を入力するための開始入力部３２１、補正入力部３２２、および終了入力部３２３を備える。
開始入力部３２１は、画質補正を開始するための入力部であり、利用者による入力操作を認識し、画質補正を開始する旨の操作信号を制御装置３３に出力する。
補正入力部３２２は、画質補正を実施する（画質補正処理を実施するための補正パラメータを変更する）ための入力部であり、利用者による入力操作を認識し、画質補正を実施する旨の操作信号を制御装置３３に出力する。
終了入力部３２３は、画質補正を終了するための入力部であり、利用者による入力操作を認識し、画質補正を終了する旨の操作信号を制御装置３３に出力する。
【００２８】
制御装置３３は、ＣＰＵを含んで構成され、メモリ３３５に記憶された制御プログラム（画質補正プログラムを含む）にしたがって、プロジェクタ３全体を制御する。なお、制御装置３３の構成としては、スクリーンに表示された画像の画質を補正する処理機能を主に説明し、その他の機能については説明を省略する。この制御装置３３は、図１に示すように、送受信部３３１と、画質補正部としての画像データ処理部３３２と、表示制御部３３３と、送信制御部３３４と、メモリ３３５等を備える。これら各構成要素３３１〜３３５は、図示しないバスにより接続され、必要な情報が伝送可能に構成されている。
【００２９】
送受信部３３１は、画像出力装置２の送受信部２２３と同様のものであり、信号線Ｓgに対応した規格（本実施形態では、ＨＤＭＩ規格）でプロジェクタ３と情報の送受信を実施する信号変換回路である。
画像データ処理部３３２は、送受信部３３１を介して受信した画像データに対して、メモリ３３５に記憶された各種補正パラメータに基づいて、解像度を光変調装置３１２の解像度（画素数）に合わせる解像度変換処理、拡大・縮小等の画像サイズ調整処理、色相、色度、コントラスト、シャープネス、および輝度等の画質補正処理、台形歪補正処理、ガンマ補正処理等の各種の画像データ処理を実施する。なお、具体的な図示は省略したが、画像データ処理部３３２は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
なお、メモリ３３５に記憶された各種補正パラメータのうち、上述した画質補正処理を実施するための補正パラメータは、利用者による補正入力部３２２の入力操作により、書き換えられるものである。
【００３０】
表示制御部３３３は、画像データ処理部３３２にて画像データ処理が施された画像データ（以下、処理済画像データ）から光変調装置３１２を駆動するための駆動信号を生成し、光変調装置３１２に駆動信号を出力することで画像（画像光）を形成させる。
送信制御部３３４は、送受信部３３１を駆動制御して、所定の制御コマンドを画像出力装置２に対して送信させる。
例えば、送信制御部３３４は、利用者による開始入力部３２１の入力操作により、開始入力部３２１から画質補正を開始する旨の操作信号が出力された場合に、送受信部３３１を駆動制御して、画像データの出力状態を一時停止させる旨の一時停止コマンド（一時停止情報）を画像出力装置２に対して送信させる。
また、例えば、送信制御部３３４は、利用者により終了入力部３２３の入力操作により、終了入力部３２３から画質補正を終了する旨の操作信号が出力された場合に、すなわち、画像データ処理部３３２による画質補正処理が完了した場合に、送受信部３３１を駆動制御して、画質補正が完了した旨の補正完了コマンド（補正完了情報）を画像出力装置２に対して送信させる。
【００３１】
〔画質補正方法〕
次に、上述した画像表示システム１を利用した画質補正方法を図面に基づいて説明する。
図２は、画質補正方法を説明するフローチャートである。
先ず、画像出力装置２は、受信したテレビジョン放送信号に基づく１フレーム毎の画像データをプロジェクタ３に対して順次、送信する（ステップＳ１）。
ステップＳ１の後、プロジェクタ３は、画像出力装置２から送信された画像データを順次、受信する（ステップＳ２）。
【００３２】
ステップＳ２の後、プロジェクタ３は、受信した画像データに対して画像データ処理を施し、処理済画像データに基づく駆動信号により光変調装置３１２を駆動して、処理済画像データに基づく画像光を順次、形成させる。そして、プロジェクタ３から画像光が拡大投射され、スクリーン上に処理済画像データに基づく画像（テレビジョン映像（動画像））が表示される（ステップＳ３）。
ステップＳ３の後、プロジェクタ３の送信制御部３３４は、利用者により開始入力部３２１が操作され、開始入力部３２１から画質補正を開始する旨の操作信号を入力したか否かを判定する（ステップＳ４）。
【００３３】
ステップＳ４において、プロジェクタ３は、「Ｎ」と判定した場合には、ステップＳ３にてテレビジョン映像（動画像）の表示を継続する。
一方、ステップＳ４において、送信制御部３３４は、「Ｙ」と判定した場合には、送受信部３３１を駆動制御して、一時停止コマンドを画像出力装置２に対して送信させる（ステップＳ５：送信制御ステップ）。
ステップＳ５の後、画像出力装置２は、プロジェクタ３から送信された一時停止コマンドを受信する（ステップＳ６）。そして、画像出力装置２の出力制御部２２４は、送受信部２２３を駆動制御して、プロジェクタ３に対する画像データの出力状態を一時停止させる（ステップＳ７）。すなわち、出力制御部２２４は、一時停止コマンドを受信した場合に、送受信部２２３を駆動制御して、一時停止コマンドを受信した時点での１フレームの画像データ（以下、停止画像データ）をプロジェクタ３に対して継続して送信させる。
【００３４】
ステップＳ７の後、プロジェクタ３は、前記停止画像データに対して画像データ処理を施し、処理済画像データに基づく駆動信号により光変調装置３１２を駆動して、処理済画像データに基づく画像光を形成させる。そして、プロジェクタ３から画像光が拡大投射され、スクリーン上に前記停止画像データに基づく画像（静止画像）が表示される（ステップＳ８）。
ステップＳ８の後、画像データ処理部３３２は、利用者による補正入力部３２２の入力操作により順次、書き換えられた補正パラメータを用いて、前記停止画像データに対して画質補正処理を施す（ステップＳ９：画質補正ステップ）。すなわち、利用者が補正入力部３２２を入力操作すると、画像データ処理部３３２が画質補正処理を施し、ステップＳ８において表示されている前記停止画像データに基づく静止画像の画質（色相、色度、コントラスト、シャープネス、輝度等）が適宜、変更されることとなる。
【００３５】
そして、送信制御部３３４は、利用者により終了入力部３２３が操作され、終了入力部３２３から画質補正を終了する旨の操作信号を入力したか否かを判定する（ステップＳ１０）。
ステップＳ１０において、プロジェクタ３は、「Ｎ」と判定した場合には、ステップＳ９にて前記停止画像データに基づく静止画像の画質補正を継続する。
一方、ステップＳ１０において、送信制御部３３４は、「Ｙ」と判定した場合には、送受信部３３１を駆動制御して、補正完了コマンドを画像出力装置２に対して送信させる（ステップＳ１１）。
ステップＳ１１の後、画像出力装置２は、プロジェクタ３から送信された補正完了コマンドを受信する（ステップＳ１２）。そして、出力制御部２２４は、送受信部２２３を駆動制御して、プロジェクタ３に対する画像データの出力状態の一時停止を解除し、ステップＳ１に戻って、補正完了コマンドを受信した時点からのテレビジョン放送信号に基づく１フレーム毎の画像データをプロジェクタ３に対して順次、送信する。
【００３６】
上述した第１実施形態によれば、以下の効果がある。
本実施形態では、プロジェクタ３は、画像データ処理部３３２と、表示制御部３３３と、送信制御部３３４とを備えているので、画質を補正する際に一時停止コマンドを画像出力装置２に送信することで画像データの出力状態を一時停止させ静止画像を表示でき、利用者に静止画像を確認させながら画質の補正を適切に実施させることができる。また、従来のように、画質補正を実施する際に用いる映像データを記憶するメモリ、利用者による操作により映像データをメモリに記憶させる処理機能、メモリに記憶された映像データを表示させる処理機能等をプロジェクタ３に付加する必要がなく、プロジェクタ３全体のコストが高騰することがない。
【００３７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図３は、第２実施形態における画像表示システム１０の構成を示すブロック図である。
前記第１実施形態では、画像表示システム１は、利用者により開始入力部３２１が入力操作された場合に、表示されているテレビジョン映像（動画像）を一時停止する。そして、一時停止した際の静止画像を利用者に確認させながら、画質補正を促している。
これに対して第２実施形態では、画像表示システム１０は、利用者により開始入力部３２１が入力操作された場合に、表示されているテレビジョン映像（動画像）を一時停止するとともに、所定の補正画像を表示させる。そして、表示された補正画像を利用者に確認させながら、画質補正を促す。
【００３８】
図４は、補正画像Ｆgの一例を示す図である。
画像表示システム１０を構成する画像出力装置２０は、図３に示すように、前記第１実施形態で説明した画像出力装置２と同様の構成（チューナ２１、制御装置２２（映像処理部２２１、映像記憶部２２２、送受信部２２３）の他、出力制御部２２５と、補正画像Ｆgに関する補正画像データ（補正画像情報）を記憶する補正画像情報記憶部２２６とを備える。
補正画像情報記憶部２２６が記憶する補正画像データに基づく補正画像Ｆgとしては、例えば、図４に示すように、左側から右側にかけて白から黒までが所定の階調で形成された、所謂グレースケールを採用できる。
また、出力制御部２２５は、前記第１実施形態で説明した出力制御部２２４と略同様の処理を実行するとともに、送受信部２２３を介してプロジェクタ３０から後述する出力指示コマンドを受信した場合に、送受信部２２３を駆動制御して、補正画像情報記憶部２２６に記憶された補正画像データをプロジェクタ３０に対して送信させる。
【００３９】
画像表示システム１０を構成する画像表示装置としてのプロジェクタ３０は、図３に示すように、前記第１実施形態で説明したプロジェクタ３と同様の構成（画像投射部３１、操作手段３２、制御装置３３（送受信部３３１、画像データ処理部３３２、表示制御部３３３、メモリ３３５））の他、送信制御部３３６を備える。
送信制御部３３６は、前記第１実施形態で説明した送信制御部３３４と略同様の処理を実行するとともに、利用者による開始入力部３２１の入力操作により、開始入力部３２１から画質補正を開始する旨の操作信号が出力された場合に、送受信部３３１を駆動制御して、一時停止コマンドとともに、補正画像データの出力指示に関する出力指示コマンド（出力指示情報）を画像出力装置２に対して送信させる。
【００４０】
次に、上述した画像表示システム１０を利用した画質補正方法を図面に基づいて説明する。
図５は、画質補正方法を説明するフローチャートである。
なお、本実施形態は、前記第１実施形態に対して、補正画像Ｆgを表示させ、該補正画像Ｆgに基づいて、利用者に画質補正を促す点が異なるのみであるため、以下では、該処理のみを主に説明し、その他の処理については説明を省略する。
ステップＳ４において、送信制御部３３６は、「Ｙ」と判定した場合、すなわち、利用者により開始入力部３２１に入力操作が実施された場合には、送受信部３３１を駆動制御して、一時停止コマンドとともに、出力指示コマンドを画像出力装置２０に対して送信させる（ステップＳ５Ａ：送信制御ステップ）。
【００４１】
ステップＳ５Ａの後、出力制御部２２５は、プロジェクタ３０から送信された一時停止コマンドおよび出力指示コマンドを受信すると（ステップＳ６Ａ）、送受信部２２３を駆動制御して、プロジェクタ３０に対する画像データの出力状態を一時停止させる（ステップＳ７）とともに、補正画像情報記憶部２２６に記憶された補正画像データを読み出し、プロジェクタ３０に対して送信させる（ステップＳ１３）。
【００４２】
ステップＳ１３の後、プロジェクタ３０は、画像出力装置２０から送信された補正画像データを受信すると（ステップＳ１４）、補正画像データに対して画像データ処理を施し、処理済画像データに基づく駆動信号により光変調装置３１２を駆動して、処理済画像データに基づく画像光（補正画像Ｆg）を形成させる。そして、プロジェクタ３０から画像光が拡大投射され、スクリーン上に補正画像データに基づく画像（補正画像Ｆg）が表示される（ステップＳ８Ａ）。
そして、ステップＳ９において、利用者が補正入力部３２２を入力操作すると、画像データ処理部３３２が画質補正処理を施し、ステップＳ８Ａにおいて表示されている補正画像Ｆgの画質（色相、色度、コントラスト、シャープネス、輝度等）が適宜、変更されることとなる。
【００４３】
上述した第２実施形態においては、前記第１実施形態と同様の効果の他、以下の効果がある。
本実施形態では、プロジェクタ３０は、利用者により開始入力部３２１が入力操作された場合に、一時停止コマンドとともに出力指示コマンドを画像出力装置２０に対して送信し、画像出力装置２０から送信された補正画像データに基づく補正画像Ｆgを表示する。このことにより、利用者は、補正画像Ｆgを確認しながら、補正入力部３２２を入力操作することで、画質の補正操作を実施できる。このため、前記第１実施形態のような単に一時停止した際の静止画像に基づいて画質の補正操作を実施する場合と比較して、画質の補正をより適切に実施できる。
【００４４】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図６は、第３実施形態における画像表示システム１００の構成を示すブロック図である。
前記第１実施形態では、画像表示システム１は、利用者により開始入力部３２１が入力操作された場合に表示されているテレビジョン映像を一時停止し、利用者により終了入力部３２３が入力操作された場合にテレビジョン映像の一時停止を解除し、画質補正が完了した時点からのテレビジョン放送信号に基づくテレビジョン映像を表示している。
これに対して第３実施形態では、画像表示システム１００は、利用者により開始入力部３２１が入力された場合に表示されているテレビジョン映像を一時停止し、利用者により終了入力部３２３が入力操作された場合にテレビジョン映像の一時停止を解除し、一時停止した時点から録画しているテレビジョン映像を表示するタイムシフト再生を実施する。
【００４５】
画像表示システム１００を構成する画像出力装置２００は、図６に示すように、前記第１実施形態で説明した画像出力装置２と同様の構成（チューナ２１、制御装置２２（映像処理部２２１、映像記憶部２２２、送受信部２２３）の他、記憶情報設定部２２７と、出力制御部２２８とを備える。
記憶情報設定部２２７は、送受信部２２３を介してプロジェクタ３から一時停止コマンドを受信した場合に、一時停止コマンドの受信をトリガとして、映像処理部２２１から出力される画像データを映像記憶部２２２に順次、記憶（録画）させる。
出力制御部２２８は、前記第１実施形態で説明した出力制御部２２４と略同様の処理を実行するとともに、送受信部２２３を介してプロジェクタ３から出力指示コマンドを受信した場合に、送受信部２２３を駆動制御して、映像記憶部２２２に記憶された画像データをプロジェクタ３に対して順次、送信させる（タイムシフト再生）。
【００４６】
次に、上述した画像表示システム１００を利用した画質補正方法を図面に基づいて説明する。
図７は、画質補正方法を説明するフローチャートである。
なお、本実施形態は、前記第１実施形態に対して、タイムシフト再生を実施する点が異なるのみであるため、以下では、該処理のみを主に説明し、その他の処理については説明を省略する。
画像出力装置２００は、プロジェクタ３から送信された一時停止コマンドを受信すると（ステップＳ６）、出力制御部２２４がプロジェクタ３に対する画像データの出力状態を一時停止させる（ステップＳ７）とともに、記憶情報設定部２２７が映像記憶部２２２への映像処理部２２１から出力される画像データの録画を開始させる（ステップＳ１４）。
また、画像出力装置２００は、プロジェクタ３から送信された補正完了コマンドを受信すると（ステップＳ１２）、送受信部２２３を駆動制御して、プロジェクタ３に対する画像データの出力状態の一時停止を解除し、ステップＳ１に戻って、映像記憶部２２２に記憶された一時停止コマンドを受信した時点からの画像データをプロジェクタ３に対して順次、送信する（タイムシフト再生）。
そして、スクリーン上には、現状で受信しているテレビジョン放送信号に基づくテレビジョン映像よりも前のテレビジョン映像が表示されることとなる。
【００４７】
上述した第３実施形態においては、前記第１実施形態と同様の効果の他、以下の効果がある。
本実施形態では、画像出力装置２００は、チューナ２１と、映像記憶部２２２と、記憶情報設定部２２７と、出力制御部２２８とを備え、タイムシフト再生を実施する。このため、プロジェクタ３は、画質の補正を完了した後、画質の補正を開始した時点からのテレビジョン映像を表示することとなる。したがって、利用者は、画質を補正している期間のテレビジョン映像を視聴することができ、利便性の向上が図れる。
【００４８】
なお、本発明は前述の実施形態に限定されるものではなく、本発明の目的を達成できる範囲での変形、改良等は本発明に含まれるものである。
前記各実施形態では、操作手段３２として、開始入力部３２１、補正入力部３２２、および終了入力部３２３の３つを備えた構成としていたが、これに限らず、開始入力部３２１および終了入力部３２３を省略した構成としても構わない。この場合には、送信制御部３３４，３３６は、利用者による補正入力部３２２の入力操作により、補正入力部３２２から操作信号が出力された場合に、送受信部３３１を駆動制御して、一時停止コマンド、出力指示コマンドを送信させる。また、送信制御部３３４，３３６は、利用者による補正入力部３２２への入力操作が終了した場合、すなわち、補正入力部３２２から操作信号が出力されなくなった場合に、送受信部３３１を駆動制御して、補正完了コマンドを送信させる。
【００４９】
前記各実施形態では、画像出力装置２，２０，２００およびプロジェクタ３，３０は、ＨＤＭＩ規格により画像データや制御コマンドを一括して伝送可能に接続されていたが、これに限らない。例えば、ＵＳＢ(Universal Serial Bus)規格等のその他の規格により伝送可能に接続してもよく、有線でなく無線媒体（電波、音、赤外線等）を介して伝送可能に接続しても構わない。また、画像データおよび制御コマンドを一括して伝送する構成に限らず、別々の伝送路にて伝送する構成としても構わない。
【００５０】
前記第２実施形態において、補正画像Ｆgとしては、前記第２実施形態で説明したグレースケールに限らず、種々の色が順に形成された、所謂カラーバー等の他の画像を採用しても構わない。
前記第３実施形態では、記憶情報設定部２２７は、一時停止コマンドの受信をトリガとして、映像処理部２２１から出力される画像データを映像記憶部２２２に順次、録画させていたが、これに限らない。例えば、映像記憶部２２２が順次、録画している状態で、一時停止コマンドを受信した場合に、映像記憶部２２２の記憶領域上の一時停止コマンドを受信した時点に相当する記憶位置にフラグを立てる。そして、プロジェクタ３から出力指示コマンドを受信した場合に、フラグの記憶位置に記憶された画像データから順に、プロジェクタ３に対して送信させる。
【００５１】
前記各実施形態での光変調装置３１２としては、透過型の液晶パネル、反射型の液晶パネル、あるいは、ディジタル・マイクロミラー・デバイス（テキサス・インスツルメント社の商標）等を採用してもよい。
【００５２】
前記各実施形態では、画像表示装置としてフロント投射型のプロジェクタ３，３０を採用していたが、これに限らず、例えば、パーソナルコンピュータ、液晶テレビ、プラズマテレビ、有機ＥＬ(Electro Luminescence)ディスプレイ等の表示手段を備えたテレビ受信機、背面投射型のリアプロジェクタとしても構わない。
【産業上の利用可能性】
【００５３】
本発明は、コストが高騰することなく、画質の補正を適切に実施できるため、プレゼンテーションやホームシアタに用いられるプロジェクタ等の画像表示装置に利用できる。
【図面の簡単な説明】
【００５４】
【図１】第１実施形態における画像表示システムの構成を示すブロック図。
【図２】前記実施形態における画質補正方法を説明するフローチャート。
【図３】第２実施形態における画像表示システムの構成を示すブロック図。
【図４】前記実施形態における補正画像の一例を示す図。
【図５】前記実施形態における画質補正方法を説明するフローチャート。
【図６】第３実施形態における画像表示システムの構成を示すブロック図。
【図７】前記実施形態における画質補正方法を説明するフローチャート。
【符号の説明】
【００５５】
１，１０，１００・・・画像表示システム、２，２０，２００・・・画像出力装置、３，３０・・・プロジェクタ（画像表示装置）、２１・・・チューナ（受信手段）、３１・・・画像投射部（表示手段）、３２・・・操作手段、３３・・・制御装置（制御手段）、２２２・・・映像記憶部、２２４，２２５，２２８・・・出力制御部、２２６・・・補正画像情報記憶部、３３２・・・画像データ処理部（画質補正部）、３３３・・・表示制御部、３３４，３３６・・・送信制御部、Ｆg・・・補正画像、Ｓ５，Ｓ５Ａ・・・送信制御ステップ、Ｓ９・・・画質補正ステップ。
【図１】
2008262066.tif 000003
【図２】
2008262066.tif 000004
【図３】
2008262066.tif 000005
【図４】
2008262066.tif 000006
【図５】
2008262066.tif 000007
【図６】
2008262066.tif 000008
【図７】
2008262066.tif 000009